(57)【要約】【課題】高さ寸法の異なる被収納物を一の収納庫内に効率よく収納することができ、収納庫内に無駄なスペースが生じることを有効に抑えることができる棚装置を提供する。【解決手段】対向する一対の側板２１、２２を有する収納庫１の収納空間２Ｓに必要に応じて配置して利用可能な棚装置３であって、棚天板４と、棚天板４の一側端部を支持する棚側板５とを具備するものであり、棚天板４の他側端部を収納庫１の側板２１に取付可能に構成した。【選択図】図１
2004329304.tif 000002
【特許請求の範囲】
【請求項１】
対向する一対の側板を有する収納庫の収納空間に必要に応じて配置して利用可能な棚装置であって、
棚天板と、当該棚天板の一側端部を支持する棚側板とを具備するものであり、前記棚天板の他側端部を前記収納庫の側板に取付可能に構成していることを特徴とする棚装置。
【請求項２】
前記棚天板の高さ位置を変更可能に構成している請求項１記載の棚装置。
【請求項３】
前記棚天板を、前記側板の高さ方向に沿って間欠的に設定した複数の棚天板取付部の何れかに選択的に取付可能に構成している請求項２記載の棚装置。
【請求項４】
前記棚側板に挿入孔を設けるとともに、当該棚側板に挿入孔を介して挿入可能な棚支柱を前記棚天板の下面に設け、当該棚支柱の棚側板に対する挿入深さを変更することにより、前記棚天板の高さ位置を変更可能に構成している請求項１、２又は３記載の棚装置。
【請求項５】
前記棚天板の他側端部を前記収納庫の一方の側板に取り付けた状態において、他の棚天板を、前記棚側板と他方の側板との間に架け渡し若しくは介在させるようにして取付可能に構成している請求項１、２、３又は４記載の棚装置。
【請求項６】
前記他の棚天板を、前記棚側板及び前記他方の側板の高さ方向に沿ってそれぞれ間欠的に設定した複数の棚天板取付部の何れかに選択的に取付可能に構成している請求項５記載の棚装置。
【請求項７】
前記側板に設けた前記棚天板取付部が、側板間に棚板を架け渡し若しくは介在させる際に利用する棚板取付部である請求項３又は６記載の棚装置。
【請求項８】
前記棚天板取付部が、前記側板の一部を切り開けてなる取付孔である請求項７記載の棚装置。
【請求項９】
前記棚側板に設けた前記棚天板取付部が、前記棚側板の一部を切り開けてなる取付孔である請求項６記載の棚装置。
【請求項１０】
前記取付孔を前記棚側板の一側面にのみ設け、収納態様に対応させて前記棚側板を左右に反転した状態で取付可能に構成している請求項９記載の棚装置。
【発明の詳細な説明】
【０００１】
【発明の属する技術分野】
本発明は、収納庫内に配置して利用可能な棚装置に関するものである。
【０００２】
【従来の技術】
従来、ボックスファイルや書類等の被収納物を収納可能な収納空間を有する収納庫において、左右に離間する一対の側板間に一又は複数の棚板を架け渡し、棚板によって仕切られる棚板下方の空間及び棚板上方の空間に種々の被収納物を収納するように構成している。（例えば特許文献１参照）。
【０００３】
【特許文献１】
特開２００２−３４６７７号公報（第２〜３頁、第１図）
【０００４】
【発明が解決しようとする課題】
ところが、側板間に一又は複数の棚板を架け渡した場合、棚板によって仕切られる収納空間の高さ寸法が一定であるため、高さ寸法の異なる被収納物を収納した場合、効率よく収納することができず、収納空間に無駄な空間、いわゆるデッドスペースが生じ易いものである。このように、従来の収納庫は収納態様によっては収まりが悪くなり、収納効率の低下を招来するものである。
【０００５】
本発明は、このような課題に着目してなされたものであって、主たる目的は、必要に応じて収納庫の収納空間に取り付けられるものであって、高さ寸法の異なる被収納物を一の収納庫内に効率よく収納することができ、収納庫内に無駄なスペースが生じることを有効に抑え、収納効率を高めることができる棚装置を提供することにある。
【０００６】
【課題を解決するための手段】
すなわち、本発明の棚装置は、対向する一対の側板を有する収納庫の収納空間に必要に応じて配置して利用可能なものであって、棚天板と、この棚天板の一側端部を支持する棚側板とを具備するものであり、前記棚天板の他側端部を前記収納庫の側板に取付可能に構成していることを特徴とする。
【０００７】
このようなものであれば、収納態様等を考慮し必要に応じて、収納庫の収納空間内に、棚天板、棚側板及び側板に囲まれてなる任意の収納スペース（前記収納庫の収納空間と差別化するため、説明の便宜上、棚天板、棚側板及び側板に囲まれてなる空間を「収納スペース」とする）を形成することができる。これにより、例えばこの収納スペースに背丈の低い書類やボックスファイル等の被収納物を収納し、棚天板、棚側板及び側板に囲まれていない収納空間に背丈の高い被収納物を収納することができる等、高さ寸法の異なる被収納物を一の収納庫内に効率よく収納することができ、収納庫内に無駄なスペースが生じることを有効に抑えることができる。さらに、棚天板に被収納物を載置することも可能であり、棚天板と、収納庫の天板又は棚天板の上方に位置する棚板との間のスペースをも有効活用することができ、収納効率を高めることができる。また、棚天板の他側端部を収納庫の側板を利用して取り付けているため、一対の棚側板を用いて棚天板の両側端部をそれぞれ各棚側板に支持させる構成と比較して、部品点数の削減を図ることができる。また、収納態様によっては棚装置を取り付けずに高さ寸法が一定である収納空間を利用する方が収納庫内の収まりが良い場合もあるため、このような場合には、棚装置を取り外すことによって、所望の収納空間を確保することができる。このように、収納態様に合わせて収納空間の高さ寸法等を適宜調節することができ、使い勝手に優れたものとなる。
【０００８】
また、前記棚天板の高さ位置を変更可能に構成していれば、棚天板下方の収納スペースの高さ寸法、及び、棚天板と収納庫の天板又は棚天板の上方に位置する棚板との間の収納スペースの高さ寸法を、被収納物の高さ寸法に対応させることができ、収納スペースに効率よく被収納物を収納することが可能となる。
【０００９】
具体的な実施態様としては、前記棚天板を、前記側板の高さ方向に沿って間欠的に設定した複数の棚天板取付部の何れかに選択的に取付可能に構成しているものが挙げられる。
【００１０】
また、前記棚側板に挿入孔を設けるとともに、この棚側板に挿入孔を介して挿入可能な棚支柱を前記棚天板の下面に設け、この棚支柱の棚側板に対する挿入深さを変更することにより、前記棚天板の高さ位置を変更可能に構成しているものであっても好適に使用することができる。
【００１１】
収納庫内の収納空間をさらに仕切ることにより大きさの異なる収納スペースを複数形成するには、前記棚天板の他側端部を前記収納庫の一方の側板に取り付けた状態において、他の棚天板を、前記棚側板と他方の側板との間に架け渡し若しくは介在させるようにして取付可能に構成していればよい。
【００１２】
前記他の棚天板を、前記棚側板及び前記他方の側板の高さ方向に沿ってそれぞれ間欠的に設定した複数の棚天板取付部の何れかに選択的に取付可能に構成していることが望ましい。
【００１３】
具体的には、前記側板に設けた前記棚天板取付部が、側板間に棚板を架け渡し若しくは介在させる際に利用する棚板取付部であることが挙げられる。
【００１４】
簡単に前記棚天板取付部を形成するためには、前記側板に設けた棚天板取付部が、前記側板の一部を切り開けてなる取付孔であればよい。
【００１５】
同様の観点から、前記棚側板に設けた前記棚天板取付部が、前記棚側板の一部を切り開けてなる取付孔であることが望ましい。
【００１６】
前記棚側板の一側面にのみ前記取付孔を設け、収納態様に対応させて前記棚側板を左右に反転した状態で取付可能に構成していれば、製作工程の簡素化、及び加工コストの削減を図ることができるとともに、取付孔を設けた一側面を何れか一方の側板に対向するように棚側板を取り付けることにより好適に使用することができる。
【００１７】
【発明の実施の形態】
以下、本発明の一実施形態を、図面を参照して説明する。
【００１８】
本発明に係る棚装置３は、図１等に示すように、必要に応じて収納庫１の収納空間２Ｓに配置して利用可能なものである。
【００１９】
収納庫１は、図１乃び図２等に図示するように、所定の収納空間２Ｓを形成する収納庫本体２と、この収納庫本体２の前面開口を回転して開閉可能とする左右の扉（図示省略）とを備えてなる周知のものである。
【００２０】
収納庫本体２は、主として、左右に離間して設けた一対の側板２１、２２と、両側板２１、２２の後端部間に設けた背板２３と、両側板２１、２２の上端部間及び下端部間に架け渡して設けた天板２４及び底板２５とを篭形に組み上げ、前方を開放させた収納空間２Ｓを形成しているものである。なお、説明の便宜上、以下の説明においては、開放させている一端側を前端（前端部）とし、背板２３が位置する一端を後端（後端部）とする。
【００２１】
各板材２１乃至２５は例えば板金加工により形成しているものである。側板２１の内側面２１ａには、棚板取付部たる取付孔２１ｈを高さ方向に沿って複数設けており、側板２２の内側面２２ａにも、取付孔２１ｈに対応するように高さ方向に沿って複数の取付孔（図示しないが説明の便宜上「取付孔２２ｈ」とする）を設けている。各取付孔２１ｈ、２２ｈは、側板２１、２２の一部を切り開けてなるものであり、それぞれ高さ方向に所定距離離間させるとともに、高さ方向に２列となるように前後方向に所定距離離間させて設け、後述する棚天板取付具８とほぼ同形状及び同一の構成を有する棚板取付具Ｔを取り付け可能に構成している。そして、棚板取付具Ｔを介して、側板２１、２２の内側面２１ａ、２２ａ間に一又は複数の棚板２６を取付可能に構成するとともに、この棚板２６の高さ位置を変更可能に構成している。
【００２２】
棚装置３は、図２乃至図６（図６（ａ）は収納庫の収納空間に配置した棚装置の正面図であり、同図（ｂ）は（ａ）における領域Ｚの拡大図である）等に示すように、棚天板４と、棚天板４の一側端部を支持する棚側板５とを具備するものであり、棚天板４の他側端部を前記収納庫１の側板２１（又は側板２２）に取付可能に構成している。
【００２３】
棚天板４は、本実施形態では板金加工により形成している。具体的には、１枚の金属板の前端部及び後端部を下方に折り返してなる第１折り返し部４１と、左右両端部を下方に折り返してなる第２折り返し部４２とを設けた平面視略矩形状をなすものであり、前記棚板２６の長手寸法の略２分の１に相当する長手寸法を有する。棚天板４の下面部の一側端部には、略円柱状の棚支柱６を２本取り付けている。この棚支柱６は、鉛直方向に延伸するものであり、上端部に設けた図示しないねじを棚天板４の下面部に設けた図示しないねじ孔に螺合することによって棚天板４に一体的に取付けている。棚支柱６に、延伸方向に対して垂直な方向に凹む溝６１を高さ方向に沿って間欠的に複数形成している。この溝６１は、棚支柱６の外側面の全周に亘って設けたものである。なお、各棚支柱６で溝６１の形成高さ位置を揃えてあることは言うまでもない。
【００２４】
棚側板５は、例えば板金材を折り曲げ加工してなるおおよそ中空の基体５１の上端に、樹脂製のキャップ５２を装着したものである。キャップ５２には、前後２カ所でこのキャップ５２を上下に貫く略丸孔状の挿入孔５２ａを穿ってある。従って、棚側板５の上端部に２つの挿入孔５２ａを設けていることとなる。これら挿入孔５２ａは前記棚支柱６が挿入し得る開口径寸法を有するものであり、挿入孔５２ａに挿入した２本の棚支柱６により、棚天板４の一側端部を支持するように構成している。また、基体５１の一方の側面部５１１にのみ、棚天板取付部たる取付孔５１ｈを高さ方に沿って複数設けている。この各取付孔５１ｈは、側面部５１１の一部を切り開けてなるものであり、各取付孔５１ｈの形状、高さ方向の離間距離及び前後方向の離間距離を、前記側板２１、２２に設けた各取付孔２１ｈ、２２ｈの形状、高さ方向の離間距離及び前後方向の離間距離にほぼ対応させている。
【００２５】
そして、棚側板５に対する棚天板４の相対的な高さ位置を決定すべく、係止部材７を前記棚支柱６の溝６１に係合させた状態で棚支柱６を棚側板５の挿入孔５２ａに挿入するようにしている。
【００２６】
係止部材７は、略薄板状をなすもので、その厚みは棚支柱６に形成した各溝６１の高さ寸法に略対応する。係止部材７には、棚支柱６を貫通させ得る開口部７１を設けている。この開口部７１は、棚支柱６を自由に通すことができる挿通部７１ａと、棚支柱６の溝６１を形成していない部位における棚支柱６の径よりも狭小な幅寸法を有し棚支柱６を自由に通すことができない狭小部７２ｂとを連続して形成したものである。図示例では、棚支柱６の横断面形状に相似な円形状の挿通部７１ａとこの挿通部７１ａの内径よりも小さい幅の長孔状の狭小部７１ｂとを前後に連ねた形に切り欠いたものとなっている。かつ、狭小部７１ｂの幅寸法が、棚支柱６の溝６１を形成した箇所の外径に略対応している。狭小部７１ｂの周縁と棚支柱６の溝６１とが係合しているとき、棚支柱６は係止部材７に対し上下方向に移動不能な状態となり、係止部材７を逆方向にスライド操作すれば係合が解消し、棚支柱６が再び挿通部７１ａ内に収まって上下方向に移動可能な状態となるように設定されている。開口部７１間の離間距離と、棚支柱６間の離間距離及び挿入孔５２ａ間の離間距離とを略同一寸法に設定していることはいうまでもない。
【００２７】
上記構成を有する棚装置３を、収納庫本体２の収納空間２Ｓに配置した場合、棚天板４の一側端部が棚支柱６を介して棚側板５に支持され、他側端部が前記収納庫１の側板２１に棚天板取付具８を介して支持される。棚天板取付具８は、棚板取付具Ｔとほぼ同形状及び同一の構成を有するものであり、図６（ｂ）に示すように、例えば１枚の略矩形状をなす金属板の長手方向両端部に、短辺方向に沿って切り欠きを設けるとともに、この切り欠きから長手方向両端側を起立させて前記取付孔２１ｈ、２２ｈ、５１ｈに係合可能な一対の係合爪８１を設け、前記切り欠き間の部分を下方に折り曲げて当たり面部８２を設けている。また、この金属板の残り部分を用いて、前記棚天板４の第２折り返し部４１が載置可能な載置部８３と、載置部８３から連続して前記係合爪８１と略対向させるように起立させてなる対棚天板係合部８４とを一体に設けている。そして、本実施形態においては、同図に示すように、前記係合爪８１を側板２１の取付孔２１ｈに挿入して係合させることにより棚天板取付具８を側板２１に取り付けられるように設定している。棚天板取付具８を側板２１取り付けた状態において、前記対棚天板係合部８４は、側板２１の内側面２１ａから所定距離離間して対向しているとともに、前記当たり面部８２は、側板２１の内側面２１ａに接するようにしている。しかして、前記対棚天板係合部８４に設けた樹脂ファスナ挿通孔８４ａと、棚天板４の第２折り返し部４２に設けた貫通孔４２ａとを連通させるように重合し、樹脂ファスナｆを、前記樹脂ファスナ挿通孔２４ａ及び貫通孔４２ａに貫通させて取り付けることにより、棚天板取付具８に棚天板４を一体的に取付可能に構成している。
【００２８】
次に、上記構成を有する棚装置３を収納庫１の収納空間２Ｓに配置する手順を説明する。なお、棚装置３は、出荷時や搬入時等には、棚天板４、棚側板５及び棚支柱６がそれぞれ分解されている状態である。
【００２９】
先ず、側板２１に設けた複数の取付孔２１ｈのうち、所望の高さ位置に位置する取付孔２１ｈを利用して前記棚天板取付具８を取り付ける。次いで、収納庫本体２の底板２５または棚板２６に設けた係合孔（図示省略）に、棚側板５の下端部に若干下方に突出するように設けた接地部５ａを係合させて、棚側板５を底板２５または棚板２６に対して略垂直姿勢に起立させる。引き続き、棚天板４の下面側に一体的に取り付けた棚支柱６を、係止部材７に形成した開口部７１の挿通部７１ａに挿入し、棚支柱６の溝６１と開口部７１とを略同一高さに合わせ、係止部材７を前後方向にスライド操作して、狭小部７１ｂの周縁と棚支柱６の溝６１とを係合させる。そして、棚支柱６を係止部材７の開口部７１に係合させた状態で棚側板５の挿入孔５２ａに挿入することにより、棚側板５の上端部、即ちキャップ５２に係止部材７が当接して棚支柱６が保持される。なお、キャップ５２の上面には、係止部材７が収容され得る凹陥部５２ｂを設けてあり、棚支柱６を挿入孔５２ａに挿入したとき、係止部材７が凹陥部５２ｂに収まるように設定されている。棚支柱６を挿入孔５２ａに挿入する操作に伴って、経過的に棚天板４の第２折り返し部４２が前記棚天板取付具８の載置部８３に当接する。そして、対棚天板係合部８４の樹脂ファスナ挿通孔８４ａと、前記第２折り返し部４２の貫通孔４２ａとを連通させるように重合し、各孔８４ａ、４２ａを貫通するように樹脂ファスナｆを挿し込むことにより、棚天板取付具８を介して棚天板４を側板２１に一体的に取り付ける。以上の手順を経ることによって、棚装置３を収納庫１の収納空間２Ｓに配置することができ、収納空間２Ｓに、棚装置３と側板２１に囲まれてなる収納スペース３Ｓが形成される。
【００３０】
しかして、本実施形態においては、棚天板４の高さ位置を変更可能に構成している。
【００３１】
棚天板４の高さ位置は次のようにして変更する。先ず、棚天板４の一側端部側において樹脂ファスナＦを取り外し、棚天板４を持ち上げて棚板取付具８から取り外す。次に、棚天板取付具８の係合爪８１と側板２１の内側面２１ａに設けた取付孔２１ｈとの係合を解除し、棚天板取付具８を所望の高さ位置の取付孔２１ｈに係合爪８１を係わり合わせて取り付ける。棚天板４の他側端部側においては、棚支柱６の棚側板５に対する挿入深さを変更することにより棚天板４の高さ位置を変更する。具体的には、上述の棚天板４を持ち上げる動作に伴って、係止部材７の開口部７１に係合させた状態で棚支柱６が上方に移動する。次いで、係止部材７を前後方向にスライドさせて、開口部７１の挿通部７１ａに棚支柱６を挿し通した状態にし、所望の高さ位置に位置する溝６１と開口部７１の狭小部７１ｂの周縁とを係合させるべく、係止部材７を再び前後方向にスライドさせる。そして、再び係止部材７の開口部７１に係合させた状態で棚天板４を下方に移動させることにより、棚側板５のキャップ５２に係止部材７が当接するとともに、棚天板４の第２折り返し部４２が前記棚天板取付具８の載置部８３に当接する。そして、最後に樹脂ファスナｆを取り付けることにより、棚天板４を、図６に実線で示す取付位置４ａ、又はこの取付位置４ａからそれぞれ下方に所定距離離間した同図に二点鎖線で示す各取付位置４ｂ、４ｃ、４ｄに選択的に位置させることができる。
【００３２】
また、図７に示すように、棚天板４の他側端部を収納庫１の一方の側板２１に取り付けた状態において、他の棚天板１０４を、棚側板５と他方の側板２２との間に架け渡し若しくは介在させるようにして取付可能に構成している。他の棚天板１０４は、棚板４と略同一形状をなすものである。他の棚天板１０４を、棚側板５と他方の側板２２との間に取り付けるには、先ず、棚側板５の基体５１の側面部５１１に設けた取付孔５１ｈ、及び他方の側板２２に設けた取付孔２２ｈのうち、所望の高さ位置に位置する取付孔５１ｈ、２２ｈにそれぞれ前記棚天板取付具８を取り付ける。次いで、他の棚天板１０４を棚側板５と他方の側板２２との間に位置するように下方へ移動させると、他の棚天板１０４の第２折り返し部が棚天板取付具８の載置部８３に当接し、他の棚天板１０４が位置決めされる。そして、樹脂ファスナｆを用いて他の棚天板１０４の一側端部を他方の側板２２に固定するとともに、他側端部を棚側板５に固定する。以上の手順を経ることによって、他の棚天板１０４を棚側板５と他方の側板２２との間に取り付けることができ、他の棚天板１０４、棚側板５、他方の側板２２に囲まれてなる収納スペース４Ｓが形成される。他の棚天板１０４の高さ位置は、前記棚天板４の高さ位置より低いため、収納スペース４Ｓの高さ寸法は収納スペース３Ｓの高さ寸法よりも小さくなる。このように、他の棚天板１０４を取り付けることにより、収納庫１の収納空間２Ｓに高さ寸法の異なる収納スペース３Ｓ、４Ｓを形成することができる。また、他の棚天板１０４を、同図に実線で示す取付位置１０４ａ、又はこの取付位置１０４ａからそれぞれ上方に所定距離離間した同図に二点鎖線で示す各取付位置１０４ｂ、１０４ｃ、１０４ｄに選択的に位置させることにより、他の棚天板１０４の高さ位置、及び収納スペースＳ４の高さ寸法を変更することができる。
【００３３】
なお、図７においては、収納庫本体２の収納空間２Ｓにおける正面視右半部に棚天板４を取り付けて、左半部に他の棚天板１０４を取り付ける態様を示しているが、逆の態様、つまり、正面視左半部に棚天板４を取り付けて、右半部に他の棚天板１０４を取り付ける態様を採用することも可能である。その場合には、先ず、前記取付孔５１ｈを設けた側面部５１１が他方の側板２２と対面するように、上記実施形態における棚側板５を左右に反転させた状態で底板２５に対して略垂直姿勢に起立させる。そして、棚天板４の一側端部を棚支柱６を介して棚側板５に支持させるとともに、他側端部を他方の側板２２の取付孔２２ｈを利用して取り付ける。最後に、他の棚天板１０４を棚側板５と側板２１との間に取り付ける。このように、収納態様に対応させて、棚側板５１を左右反転させることにより、正面視左半部に収納スペース３Ｓを形成し、正面視右半部に収納スペース４Ｓを形成することができる。
【００３４】
このように、本実施形態に係る棚装置３は、棚天板４と、棚天板４の一側端部を支持する棚側板５とを具備し、棚天板４の他側端部を収納庫１の側板２１又は側板２２に取付可能に構成しているため、必要に応じて、収納庫１の収納空間２Ｓ内に、棚天板４、棚側板５、側板２１（又は側板２２）に囲まれてなる任意の収納スペース３Ｓを形成することができる。これにより、図１等に示すように、例えばこの収納スペース３Ｓに背丈の低いボックスファイルＢ等の被収納物を収納し、棚天板４、棚側板５、側板２１又は側板２２に囲まれていない収納空間２Ｓに背丈の高いファイルＦ等の被収納物を収納することができる等、高さ寸法の異なる被収納物を一の収納庫１内に効率よく収納することができ、収納庫１内にデッドスペースが生じることを有効に抑えることができる。さらに、棚天板４にボックスファイルＢ等の被収納物を載置することも可能であるため、棚天板４と、収納庫１の天板２４又は棚天板４の上方に位置する棚板２６との間のスペースを有効活用することができ、収納効率を高めることができる。また、棚天板４の他側端部を収納庫１の側板２１又は側板２２を利用して取り付けているため、一対の棚側板を用いて棚天板の両側端部をそれぞれ棚側板に支持させる構成と比較して、部品点数の削減を図ることができる。加えて、背板２３によって連結され有効な強度を有する側板２１、２２に棚天板４を取り付けるため、棚装置３自体が背板（例えば棚背板）を備えていないものであっても有効な強度を確保することができる。また、収納態様によっては棚装置３を取り付けずに高さ寸法が一定である収納空間２Ｓを利用する方が収納庫１内の収まりが良い場合もあるため、このような場合には、棚装置３を取り外すことによって、所望の収納空間２Ｓを確保することができる。このように幅広い使用態様に柔軟に対応させることが可能となり、使い勝手に優れたものとなる。
【００３５】
特に、棚天板４の高さ位置を変更可能に構成しているため、棚天板４下方の収納スペース３Ｓの高さ寸法、及び、棚天板４と棚天板４の上方に位置する棚板２６との間の収納スペースの高さ寸法を、被収納物の高さ寸法に対応させることができ、被収納物を効率よく収納することが可能となる。
【００３６】
また、棚天板４を、側板２１、２２の高さ方向に沿って間欠的に設定した複数の取付孔２１ｈ、２２ｈの何れかに選択的に取付可能に構成しているため、簡単な構成で棚天板４の高さ位置を変更することできる。
【００３７】
さらに、棚側板５に挿入孔５２ａを設けるとともに、棚側板５に挿入孔５２ａを介して挿入可能な棚支柱６を棚天板４の下面に設け、棚支柱６の棚側板５に対する挿入深さを変更することにより、前記棚天板４の高さ位置を変更可能に構成しているため、簡素な構造を用いて簡単に棚天板４の高さ位置を変更することができる。
【００３８】
また、棚天板４の他側端部を収納庫１の一方の側板２１に取り付けた状態において、他の棚天板１０４を、棚側板５と他方の側板２２との間に架け渡し若しくは介在させるようにして取付可能に構成しているため、一の棚側板５を有効利用して収納庫１内の収納空間２Ｓに大きさの異なる収納スペース３Ｓ、４Ｓを形成することができ、種々の収納態様に柔軟に対応させることができる。また、一の棚側板５を利用して棚天板４、１０４を取り付けることができ、各棚天板４、１０４に対してそれぞれ一の棚側板５を用いる場合と比較して、部品点数の削減を有効に図ることができる。
【００３９】
加えて、他の棚天板１０４を、棚側板５及び他方の側板２２の高さ方向に沿ってそれぞれ間欠的に設定した複数の取付孔２２ｈ、５１ｈの何れかに選択的に取付可能に構成しているため、他の棚天板１０４の高さ位置を変更することにより、他の棚天板１０４下方の収納スペース４Ｓの高さ寸法等をも被収納物の高さ寸法に対応させることができ、より実用的なものとなる。
【００４０】
さらに、側板２１、２２に設けた取付孔２１ｈ、２２ｈが、側板２１、２２間に棚板２６を架け渡し若しくは介在させる際に利用する棚板取付部たる取付孔であるため、棚天板４を取り付ける際に利用する取付孔２１ｈ、２２ｈと、棚板２６を取り付ける際に利用する取付孔とを共用することができ、便利である。
【００４１】
特に、取付孔２１ｈ、２２ｈ、５１ｈが、側板２１、２２又は棚側板５の一部を切り開けたものであるため簡単に形成することができる。
【００４２】
また、取付孔５１ｈを棚側板５の一側面である側面部５１１にのみ設け、収納態様に対応させて棚側板５を左右に反転した状態で取付可能に構成しているため、棚側板５の両側面に取付孔５１ｈを設ける場合と比較して、製作工程の簡素化、及び加工コストの削減を図ることができるとともに、取付孔５１ｈを設けた一側面を側板２１又は側板２２の何れかにに対向するように棚側板５を取り付けることにより好適に使用することができ、使い勝手に優れたものとなる。
【００４３】
また、棚側板５をブックエンドとして機能させることもできる。
【００４４】
なお、本発明は、以上に詳述した実施形態に限られるものではない。
【００４５】
例えば、図８に示すように、本発明に係る棚装置３を、一の収納庫１と他の収納庫１０１とのコーナーを形成するように配置することも可能である。この場合には、図９に示すように（同図（ａ）は図８における収納庫の分解斜視図であり、同図（ｂ）は（ａ）におけるＡ−Ａ線断面図である）、各収納庫１、１０１の側板２１、１０２１の外面側２１ｂ、１０２１ｂに補助側板９を取り付けることで、コーナー領域に棚装置３を取り付けることができる。この補助側板９は、例えば板金加工した略板状をなすものであり、収納庫１、１０１と略同じ高さ寸法を有する中空のものである。そして一方の側面に高さ方向に沿って複数の取付孔９ｈを設けている。この補助側板９を収納庫１、１０１に取り付ける際には、収納庫１、１０１の側板２１、１０２１の複数箇所に設けたハーフパンチＰを適宜の工具を用いて打ち抜くことにより貫通孔を形成し、この貫通孔を介してねじ等の適宜の固定手段により補助側板９と側板２１、１０２１とを固定する。このような手順を経て補助側板９を取り付けた収納庫１、１０１を、各補助側板９の後端部９ａ同士を付き合わせるように直交配置した場合、コーナー領域に所定の空間が形成される。しかして、このコーナー領域に形成される空間に棚装置３を配置する。棚装置３を配置するには、先ず、各補助側板９に設けた取付孔９ｈのうち、所望の高さ位置に位置する取付孔９ｈにそれぞれ棚天板取付孔８を取り付ける。次に、棚天板４、棚側板５、棚支柱６を一体的に組み付けた状態の棚装置３を、各棚天板取付具８を介して各補助側板９に棚天板４を支持させるようにして取り付ける。このようにして、複数の収納庫をコーナー配置した場合に、各コーナー領域に形成される空間に必要に応じて棚装置３を簡単に取り付けることができ、当該空間を収納可能領域として利用することが可能となる。
【００４６】
また、一の収納庫の側板の外面側に棚装置を取り付けても勿論構わない。この場合、側板の外面側に前記補助側板を取り付け、この補助側板に棚天板の一側端部を取り付けるようにすればよい。このように収納庫側方に簡単に棚装置を配置することができ、収納庫の側方の空間を収納スペースとして有効利用することができ好適である。
【００４７】
また、棚天板の高さ位置を変更する方法は、上述した実施形態に述べたもの以外に、例えば、棚支柱に雌ねじ孔を複数設けるとともに、棚側板にねじ挿通孔を設け、前記雌ねじ孔のいずれかと前記ねじ挿通孔とを重合させ、雄ねじ部材を前記雌ねじ孔にねじ止めして棚天板を所望の高さ位置に取り付けるようにする態様が考えられる。また、棚板取付具は１枚の金属板を略Ｓ字状に折り曲げて形成した通常の構成のものを用いてもよい。さらに、棚天板の高さは連続的に変更可能なものであってもよい。
【００４８】
棚天板や棚側板の各寸法は適宜変更しても勿論構わない。
【００４９】
棚天板取付部として、側板及び棚側板の一部を切り欠いたものを採用しても構わない。
【００５０】
その他、各部の具体的構成についても上記実施形態に限られるものではなく、本発明の趣旨を逸脱しない範囲で種々変形が可能である。
【００５１】
【発明の効果】
以上説明したように本発明によれば、必要に応じて、収納庫の収納空間内に、棚天板、棚側板及び側板に囲まれてなる任意の収納スペースを形成することができる。これにより、図１等に示すように、例えばこの収納スペースに背丈のボックスファイル等の被収納物を収納し、棚天板、棚側板及び側板に囲まれていない収納空間に背丈の高いファイル等の被収納物を収納することができる等、高さ寸法の異なる被収納物を一の収納庫内に効率よく収納することができ、収納庫内に無駄なスペースが生じることを有効に抑えることができる。さらに、棚天板にボックスファイル等の被収納物を載置することも可能であり、棚天板と、収納庫の天板又は棚天板の上方に位置する棚板との間のスペースを有効活用することができ、収納効率を高めることができる。また、棚天板の他側端部を収納庫の側板を利用して取り付けているため、一対の棚側板を用いて棚天板の両側端部をそれぞれ支持させる構成と比較して、部品点数の削減を図ることができる。また、収納態様によっては棚装置を取り付けずに高さ寸法が一定である収納空間を利用する方が収納庫内の収まりが良い場合もあるため、このような場合には、棚装置を取り外すことによって、所望の収納空間を確保することができる。このように、収納態様に合わせて収納空間の高さ寸法等を適宜調節することができ、使い勝手に優れたものとなる。
【図面の簡単な説明】
【図１】本発明の一実施形態における棚装置を収納庫の収納空間に配置した状態を示す正面図。
【図２】同実施形態における棚装置の斜視図。
【図３】同分解斜視図。
【図４】図２における係止部材の厚みの略中央で切断した場合の横断面図。
【図５】図２における棚側板の厚みの略中央で切断した場合の縦断面図。
【図６】同実施形態における棚装置の正面図。
【図７】同実施形態における棚装置の正面図。
【図８】同実施形態における棚装置を用いて一の収納庫と他の収納庫とをコーナー連結した状態を示す斜視図。
【図９】図８における収納庫の分解斜視図及び一部拡大断面図。
【符号の説明】
１…収納庫
２１、２２…側板
２１ｈ…棚天板取付部（取付孔）
２Ｓ…収納空間
３…棚装置
４…棚天板
５…棚側板
５１ｈ…棚天板取付部（取付孔）
５２ａ…挿入孔
６…棚支柱
１０４…他の棚天板
【図１】
2004329304.tif 000003
【図２】
2004329304.tif 000004
【図３】
2004329304.tif 000005
【図４】
2004329304.tif 000006
【図５】
2004329304.tif 000007
【図６】
2004329304.tif 000008
【図７】
2004329304.tif 000009
【図８】
2004329304.tif 000010
【図９】
2004329304.tif 000011